(57)【要約】【課題】補剛リブプレートを不要とし、簡潔な連結構造にてガセットプレートを補強でき、斜材に圧縮が作用してもガセットプレートは面外座屈しにくくなり、しかも、全ボルト接合で、補剛リブプレート不要化に伴う溶接の不要と、溶接不良による品質低下などの問題を解決できる接合構造および建築物を提供する。【解決手段】ガセットプレート２１の２辺が柱梁やトラス枠などの互いに交差する２つの軸力部材に固定され、両軸力部材で挟まれた内側から伸びる構造部材や制振ブレースなどの斜材３の接合端部４がガセットプレート２１に接合される接合構造において、所定長のＬ型形鋼またはリブ付きスプライスプレートからなる連結部材２２の一端側をガセットプレート２１にボルト１３で接合すると共に、他端側を斜材３の接合端部４にボルト１３で接合したことを特徴とする。【選択図】  図１
2004324270.tif 000002
【特許請求の範囲】
【請求項１】
ガセットプレートの２辺が柱梁やトラス枠などの互いに交差する２つの軸力部材に固定され、両軸力部材で挟まれた内側から伸びる構造部材や制振ブレースなどの斜材の端部が前記ガセットプレートに接合される接合構造において、所定長のＬ型形鋼またはリブ付きスプライスプレートからなる連結部材の一端側を前記ガセットプレートにボルト接合すると共に、他端側を前記斜材の端部にボルト接合したことを特徴とするガセットプレートを用いた構造物の接合構造。
【請求項２】
ガセットプレートの２辺が、柱梁やトラス枠などの互いに交差する２つの軸力部材に固定され、両軸力部材で挟まれた内側から伸びる構造部材や制振ブレースからなる斜材の断面十字状の端部が、前記ガセットプレートの接合端面に突き合される接合構造において、所定長のＬ型形鋼またはリブ付きスプライスプレートからなる連結部材の一端側を、ガセットプレートにボルト接合すると共に、他端側を前記斜材の断面十字状の端部にボルト接合したことを特徴とするガセットプレートを用いた構造物の接合構造。
【請求項３】
ガセットプレートの２辺が柱梁やトラス枠などの互いに交差する２つの軸力部材に固定され、両軸力部材で挟まれた内側から伸びる斜材の端部が前記ガセットプレートの接合端面に突き合される接合構造において、所定長のＬ型形鋼またはリブ付きスプライスプレートからなる連結部材の一端を前記ガセットプレートにボルト接合すると共に、他端を前記斜材の端部にボルト接合し、前記斜材と前記軸力部材との間に位置するガセットプレートの垂直立上り辺と上部傾斜辺の一方または両方に補剛リブを設けたことを特徴とするガセットプレートを用いた構造物の接合構造。
【請求項４】
Ｌ型形鋼またはリブ付きスプライスプレートからなる連結部材の一端は、ガセットプレートに面外座屈耐力を付与するに足りる長さまで、該ガセットプレートの角部に向けて伸長させたうえボルト接合していることを特徴とする請求項１〜３の何れか１項記載のガセットプレートを用いた構造物の接合構造。
【請求項５】
前記Ｌ型形鋼またはリブ付きスプライスプレートからなる連結部材は一対をなし、それぞれの一側面が前記ガセットプレートの両側面を挟んで設けられその当接部がボルト接合されると共に、対をなす一方の連結部材の端部がガセットプレートの角部により長く延長していることを特徴とする請求項４記載のガセットプレートを用いた構造物の接合構造。
【請求項６】
前記ガセットプレートの２辺が柱梁やトラス枠などの互いに交差する２つの軸力部材にボルト接合されていることを特徴とする請求項１〜５の何れか１項記載のガセットプレートを用いた構造物の接合構造。
【請求項７】
請求項１〜６の何れか１項記載の構造物の接合構造により構築してなる建築物。
【発明の詳細な説明】
【０００１】
【発明の属する技術分野】
本発明は、ガセットプレートを用いた構造物の接合構造および建築物に関するものである。
【０００２】
【従来の技術】
建築物における柱梁の接合部やトラス構造の格点部等において、構造部材や制振ブレースなどの斜材は、ガセットプレートを介して斜材に対して所定の角度で交差する軸力部材に接合される。この接合部構造においては、斜材に圧縮力がかかったときガセットプレートが面外座屈や面外変形しない構造とされており、その数例を図７、図８によって説明する。
【０００３】
図７（ａ）、（ｂ）と（ｃ）、（ｄ）および、図８（ａ）、（ｂ）と（ｃ）、（ｄ）は、従来例１、２、３、４を示し、各図には、ガセットプレート１に、スプライスプレート２を用いて、構造部材や制振ブレースなどの斜材３の十字状断面の接合端部４を結合した接合部構造が示されている。以下、順に説明する。
【０００４】
図７（ａ）、（ｂ）に示す従来例１において、ガセットプレート１の直角の２辺の一方の垂直辺には、柱またはトラス構造の一方の軸力部材（図示せず）を取付けるための鉛直接合片５が設けられ、水平下辺には梁またはトラス構造の他方の軸力部材（図示せず）を取付けるための水平接合片６が設けられている。また、ガセットプレート１の垂直辺の上端から上部辺７が先方に伸び、水平下辺の先端から垂直立上り辺８が上方に伸び、上部水平辺７と垂直立上り辺８は傾斜接合端面１０を介して接続している。
【０００５】
また、ガセットプレート１の両側面に補剛リブプレート１１を溶接１２にて両外側に突出させて設け断面十字状補剛部が構成されている。この断面十字状補剛部の先端位置の傾斜接合端面１０に構造部材や制振ブレースなどの斜材３の断面十字の接合端部４が突き合わされる。
【０００６】
そして、長方形の平鋼板からなるスプライスプレート２の一端側を補剛リブプレート１１を挟んでガセットプレート１の両側面に当てがって、それぞれの当接面をボルト１３で接合する。また、スプライスプレート２の他端側を斜材３の断面十字の接合端部４の各翼片の両側面に当てがい、それぞれの当接面をボルト１３で接合する。
【０００７】
従来例１では、前記の構成によりスプライスプレート２を介してガセットプレート１に斜材３の接合端部４が接合される。
【０００８】
図７（ｂ）、（ｃ）に示す従来例２においては、従来例１の構成に加えて、ガセットプレート１の上部水平片７と垂直立上り片８にそれぞれ補剛リブ１４、１５が溶接されている。
【０００９】
図８（ａ）、（ｂ）に従来例３を示し、図８（ｃ）、（ｄ）に従来例４を示す。図８（ｃ）、（ｄ）に示す従来例４において、ガセットプレート１の両側面に溶接１２で固着する補剛リブプレート１１の下端が、鉛直接合片５に当たるまで伸長して設けられている点が従来例１と相異する。他の構成は、従来例１同じである。
【００１０】
その他の従来技術として、特許３２９０００７号公報（特許文献１）、特開２００３−３４９８４号公報（特許文献２）がある。
【００１１】
【特許文献１】
特許３２９０００７号公報
【特許文献２】
特開２００３−３４９８４号公報
【００１２】
【発明が解決しようとする課題】
図７、図８に示す従来技術１〜４は、斜材３に圧縮力が作用したときに、ガセットプレート１が面外座屈または面外変形することがないように、ガセットプレート１の両側面に補剛リブプレート１１を溶接してあるが、その溶接作業に手間がかかりコストアップにつながる。また、耐震補強等で既存構造物のガセットプレートに補剛リブ等で補強する場合、補剛リブ取り付けのための作業が必要となる。また、現場溶接で補剛リブを取り付ける場合には、▲１▼コストアップにつながり、▲２▼作業時の天候に左右される、▲３▼取り付け位置によっては上向き溶接となり、溶接品質が低下する。
【００１３】
このように従来のガセットプレート１に必ず補剛リブプレート１１を溶接しているのは、従来のスプライスプレート２が単に長方形の平鋼板であり、板厚方向の強度が不十分でガセットプレート１の座屈強度向上に殆ど寄与しないからであり、その強度不足を補剛リブプレート１１の溶接で補っているのが現状である。
【００１４】
図７（ｃ）に示すように、ガセットプレート１の上部水平片７と垂直立上り片８に補剛リブ１４、１５を溶接すれば、ガセットプレート１の座屈強度は向上するが補剛リブ１４、１５の溶接のため前記と同様に溶接作業に手間取り、コストアップや品質低下の問題が避けられない。
【００１５】
また、図８（ａ）のように、平鋼板からなるスプライスプレート１１のガセットプレート１への進入が浅い場合は、ガセットプレート１の面外座屈強度は一層弱くなる。また、図８（ｂ）のように、補剛リブプレート１１の下端を鉛直接合片５に当たるまで伸長して設ける場合は、ガセットプレート１の面外座屈強度は向上するが、補剛リブプレート１１の溶接作業に伴う問題は依然として残っている。
【００１６】
従来技術の問題点を整理すると次のとおりである。
【００１７】
▲１▼従来構造では、ガセットプレートに面外座屈防止用のリブプレートが付いてない場合は、構造部材や制振ブレース等の斜材３に圧縮力がかかった時に、ガセットプレートが面外に座屈する。このためガセットプレートには面外変形及び面外座屈を防止する補剛リブプレート１１が必ず溶接されている。
【００１８】
▲２▼十字の補剛リブプレート付きガセットプレート１において、補剛リブプレート１１の組込み長さが短い場合は、同様に面外に座屈する。
【００１９】
▲３▼ガセットプレート１には溶接部をなくしたいが、従来構造では、補剛リブプレート１１が必ず必要であるから、そのための溶接が必要である。よってコストアップになる。また、耐震補強等で既存構造物のガセットプレートに補剛リブ等で補強する場合、補剛リブ取り付けのための作業が必要となる。現場溶接で補剛リブを取り付ける場合には、（１）コストアップにつながり、（２）作業時の天候に左右される、（３）取り付け位置によっては上向き溶接となり、溶接品質が低下する。
【００２０】
本発明は、前記の問題を解決したガセットプレートを用いた構造物の接合構造および、建築物を提供することを目的とする。
【００２１】
【課題を解決するための手段】
前記の目的を達成するため、本発明は次のように構成する。
【００２２】
第１の発明は、ガセットプレートの２辺が柱梁やトラス枠などの互いに交差する２つの軸力部材に固定され、両軸力部材で挟まれた内側から伸びる構造部材や制振ブレースなどの斜材の端部が前記ガセットプレートに接合される接合構造において、所定長のＬ型形鋼またはリブ付きスプライスプレートからなる連結部材の一端側を前記ガセットプレートにボルト接合すると共に、他端側を前記斜材の端部にボルト接合したことを特徴とする。
【００２３】
第２の発明は、ガセットプレートの２辺が、柱梁やトラス枠などの互いに交差する２つの軸力部材に固定され、両軸力部材で挟まれた内側から伸びる構造部材や制振ブレースからなる斜材の断面十字状の端部が、前記ガセットプレートの接合端面に突き合される接合構造において、所定長のＬ型形鋼またはリブ付きスプライスプレートからなる連結部材の一端側を、ガセットプレートにボルト接合すると共に、他端側を前記斜材の断面十字状の端部にボルト接合したことを特徴とする。
【００２４】
第３の発明は、ガセットプレートの２辺が柱梁やトラス枠などの互いに交差する２つの軸力部材に固定され、両軸力部材で挟まれた内側から伸びる斜材の端部が前記ガセットプレートの接合端面に突き合される接合構造において、所定長のＬ型形鋼またはリブ付きスプライスプレートからなる連結部材の一端を前記ガセットプレートにボルト接合すると共に、他端を前記斜材の端部にボルト接合し、前記斜材と前記軸力部材との間に位置するガセットプレートの垂直起立辺と上部傾斜辺の一方または両方に補剛リブを設けたことを特徴とする。
【００２５】
第４の発明は、第１〜第３の何れかの発明において、Ｌ型形鋼またはリブ付きスプライスプレートからなる連結部材の一端は、ガセットプレートに面外座屈耐力を付与するに足りる長さまで、該ガセットプレートの角部に向けて伸長させたうえボルト接合していることを特徴とする。
【００２６】
第５の発明は、第４の発明において、前記Ｌ型形鋼またはリブ付きスプライスプレートからなる連結部材は一対をなし、それぞれの一側面が前記ガセットプレートの補剛リブの両側面を挟んで設けられその挟持部がボルト接合されると共に、対をなす一方の連結部材の端部がガセットプレートの角部により長く延長していることを特徴とする。
【００２７】
第６の発明は、第１〜第５の何れかの発明におけるガセットプレートの２辺が柱梁やトラス枠などの互いに交差する２つの軸力部材にボルト接合されていることを特徴とする。
【００２８】
第７の発明は、第１〜第６の何れかの発明における構造物の接合構造により建築物を構築してなることを特徴とする。
【００２９】
【作用】
本発明は、ガセットプレートと斜材の接合端部を結合する部材を、Ｌ型形鋼またはリブ付きスプライスプレートからなる連結部材で構成し、かつ全ボルト接合方式としたので、従来のような補剛リブプレートの溶接がなくても、斜材に圧縮が作用した場合のガセットプレートの面外座屈、面外変形を防止できる。したがって、ガセットプレートに補剛リブ等を取り付けなくても、Ｌ型またはリブ付きスプライスプレートにより接合するだけで、ガセットプレートの補強となり面外座屈を防止でき、かつ構造部材との接合が可能となる。また、ガセットプレートの製作作業が容易になり、かつ低コスト化になる。
【００３０】
耐震補強等で既存構造物のガセットプレートに補剛リブ等で補強する場合、Ｌ型またはリブ付きスプライスプレートにより接合すれば、補剛リブを取り付ける必要がなく、ガセットプレートの補強及び接合が可能となる。したがって、▲１▼低コスト化、▲２▼作業の容易化、▲３▼現場溶接の場合は、作業時の天候に左右されないこと、▲４▼現場溶接の場合は、溶接がなくなるため、上向き溶接もなくなり、接合部の品質が向上する。また、ガセットプレートに補剛リブプレートが既に溶接してある既存の建物を耐震補強とする場合、従来の平鋼板のスプライスプレートだけではまだ強度が不足し、さらに補剛リブプレートを追加溶接するなどの手間のかかる作業が必要となるが、本発明に係る連結部材を用いた接合構造を適用することで、低コストで既存の建物を耐震補強を図ることができる。
【００３１】
【発明の実施の形態】
以下、本発明の実施形態を図を参照して説明する。
【００３２】
図１、図２は、実施形態１〜３を示し、各図には、ガセットプレート２１に、従来のスプライスプレートに代わる所定長のＬ型形鋼またはリブ付きスプライスプレートからなる連結部材２２を用いて、構造部材や制振ブレースなどの斜材３の接合端部４を結合した接合部構造が示されている。以下、順に説明する。
【００３３】
図１（ａ）と図２（ａ）に示す実施形態１において、ガセットプレート２１の直角の２辺において、垂直な辺には柱またはトラス構造の一方の軸力部材（何れも図示せず）を取付けるための鉛直接合片５が設けられ、水平下辺には梁またはトラス構造の他方の軸力部材（何れも図示せず）を取付けるための水平接合片６が設けられている。また、ガセットプレート２１の垂直辺の上端から所定の角度傾斜した上部傾斜辺１７が伸び、水平辺の先端から垂直立上り辺１８が上方に伸び、上部傾斜辺１７と垂直立上り辺１８は傾斜接合端面３０を介して交わっている。
【００３４】
ガセットプレート２１の傾斜接合端面３０には、４５°の斜め上方向から伸びる構造部材や制振ブレースなどの斜材３の断面十字の接合端部４が突き合わされる。
【００３５】
そして図１（ａ）、図２（ａ）に示すように、Ｌ型形鋼またはリブ付きスプライスプレートからなる、断面Ｌ形の連結部材２２の下部側の直角の一片をガセットプレート２１の両側面に当接し、その当接部に複数のボルト１３を締結することで、連結部材２２の下部をガセットプレート２１の両側面にボルト接合する連結部材２２の間は少し間隔をあけて設けられている。また、連結部材２２の上部側は、ガセットプレート２１における傾斜接合端面３０から上方に所定長突出している。
【００３６】
そして、斜材３の断面十字の接合端部４をガセットプレート２１における傾斜接合端面３０に突き合わせ、その直角隅部にガセットプレート２１の両側面に配設した各連結部材２２の上部側における直角部を当てがい、その当接部を複数のボルト１３で締結することで、連結部材２２の上半部を斜材３の断面十字の接合端部４にボルト接合する。
【００３７】
連結部材２２の下端は、ガセットプレート２１に面外座屈耐力を付与するに足りる長さまで、該ガセットプレート２１の角部２３に向けて伸長させている。具体的には、ガセットプレート２１における、鉛直接合片５（垂直立上り辺）の上端と、水平接合片６（下部水平辺）の先端とを結ぶ傾斜線２４よりもガセットプレート２１の角部２３にできる限り近づくように設けるのが望ましい。図示例の場合、ガセットプレート２１の両側面に対をなして設けられる上部側に位置する連結部材２２は、鉛直接合片５に早くぶつかる関係で傾斜線２４を越えて伸長する度合が少なく、下側に位置する連結部材２２は、傾斜線２４を越えて角部２３に近づくように伸長して設けられている。
【００３８】
実施形態１では、連結部材２２はＬ型形鋼またはリブ付きスプライスプレートからなり、直角片を有していて剛性に富むので、従来のように該ガセットプレート２１に補剛リブプレートを溶接しなくとも、斜材３の圧縮力により面外座屈や面外変形することがない。それに加え、連結部材２２を面外座屈耐力を付与するに足りる長さに設けることで、ガセットプレート２１の座屈荷重が一層大きくなり、斜材３に作用する大きな圧縮力に耐えることができる。
【００３９】
図１（ｂ）、図２（ｂ）は実施形態２を示し、ガセットプレート２１の垂直立上り辺１８に、所定の高さの補剛リブ１５を溶接した点が、実施形態１と相異する。他の構成は実施形態１と同様である。また、図１（ｃ）、図２（ｃ）は実施形態３を示す。実施形態３は、実施形態２の構成に加えて、ガセットプレート２１の上部傾斜辺１７にも補剛リブ１４を溶接した点が当該実施形態２と相異し、他の構成は実施形態２と同様である。
【００４０】
実施形態２、３のように、ガセットプレート２１の垂直立上り辺１８と上部傾斜辺１７に補剛リブ１５、１４を設けることで、実施形態１よりもさらにガセットプレート２１の座屈強度が向上する。
【００４１】
実施形態１〜３では、構造部材や制振ブレースなどの斜材３の断面十字の接合端部４を示したが、これに限らず一状断面の接合端部の場合も本発明を適用でき、所期の作用効果を奏する。
【００４２】
図３には、実施形態１に係る接合構造を、箱形断面の柱３１とＨ形鋼の梁３２と制振ブレース（斜材）３からなる鉄骨架構に実施した例が示されている。図４、図５には、図３における接合部構造の詳細が示されている。
【００４３】
制振ブレース材３は、柱３１と梁３２の斜め上下に位置する接合部にわたって傾斜配置され、当該制振ブレース材３の端部が制振ブレース材３から梁３２への鉛直・水平力伝達機構３３を介して、柱３１と梁３２に結合されている。梁３２には床構造３４への水平力伝達機構３５が設けられている。
【００４４】
制振ブレース材３は心材３６を鋼管または鋼管コンクリートまたは、鉄筋コンクリートのいずれかの座屈拘束材で座屈補剛し、制振機能を持たせた制振ブレース（例えば、特許第２５３３９３５号公報）で構成されていて、心材の接合端部４は十字断面に構成されている。
【００４５】
各部材の組立て手順を説明する。柱３１の一側面３１ａにガセットプレート２１付きの梁３２当接し、その当接部をボルト接合する。すなわち、上下２つのガセットプレート２１の鉛直接合片５と水平接合片６を柱３１の一側面３１ａおよび、梁３２の上下のフランジ４３に当てがい、この鉛直と水平の接合部片５、６のボルト挿通孔４２に固定ボルト１３を挿通し、ナットを締結することで、ガセットプレート２１と柱３１と梁３２をボルト接合する。
【００４６】
次に、制振ブレース材３を組むが、この場合、十字断面の心材の接合端部４をガセットプレート２１の傾斜接合端面３０に当接したうえ、斜め上下方向に直線位置する両部材に跨って、かつ両部材を挟んで、Ｌ型形鋼またはリブ付きスプライスプレートからなり、直角片を有していて剛性に富む連結部材２２を配設する。つづいて、制振ブレース３の心材の接合端部４と連結部材２２およびガセットプレート２１と連結部材２２とのそれぞれの接合部におけるボルト挿通孔にボルト１３を挿通し、ナットを締結してこの３部材を結合一体化する。これにより、制振ブレース材３から柱３１および梁３２への鉛直および水平力伝達機構３３が構築される。
【００４７】
このようにして、鉛直・水平力伝達機構３３を介して、柱３１と梁３２と制振ブレース材（斜材）３を組んだ後、梁３２の上フランジ４３の上面が埋るように床構造３４のコンクリートを打設することで、シアコネクタ４４が床コンクリート中に埋設されて梁２から床構造３４への水平力伝達機構３５が構築される。
【００４８】
鉛直・水平力伝達機構３３を介して、柱３１と梁３２と制振ブレース材３と床構造３４が構築された耐震構造において、制振ブレース材３に材軸方向の力が作用したときの鉛直方向成分と水平方向成分は、ガセットプレート２１および、これと柱３１と梁３２を結合する固定ボルト１３を介して、柱３１、梁３２に鉛直方向および水平方向の力として伝達される。
【００４９】
図４、図５において、本発明に係るＬ型形鋼またはリブ付きスプライスプレートからなる連結部材２２を用いてガセットプレート２１と斜材（制振ブレース）３の接合端部４をボルト接合する構成としたので、ガセットプレート２１には従来の補剛リブプレートを溶接しなくとも、斜材３に圧縮力が作用してもその面外座屈や面外変形をなくすことができる。
【００５０】
図６（ａ）、（ｂ）は既存の建物を耐震補強する本発明の実施形態３を示す。同図において、既存のガセットプレート１の直角な２辺は柱３１と梁３２に溶接１２にて取付けられていて、ガセットプレート１の両側面には補剛リブプレート１１が溶接されている。前記の接合部を耐震補強するには、本発明に係るＬ型形鋼またはリブ付きスプライスプレートからなる連結部材２２の下端側の直角２辺を既存のガセットプレート１と補剛リブプレート１１が交わる直角部に当てがい、その当接部をボルト１３で接合する。さらに、連結部材２２の上端側の直角２辺を制振ブレース３の接合端部４における直角部に当てがってその当接部をボルト１３で接合する。それにより既存のガセットプレート１に追加的に補剛リブプレートなどを現場溶接しなくとも、当該既存のガセットプレート１を補強でき、簡潔な作業かつ低コストで既存の建物を耐震補強できる。
【００５１】
さらに本発明は、図９に示すように、例えば屋根に用いられるトラス部材３７の端部が６辺方向から集まり接合されるガセットプレート１において、Ｌ型またはリブ付きスプライスプレートからなる連結部材２２を使って、該ガセットプレート１と連結部材２２を接合する場合などに適用できる。
【００５２】
なお、各実施形態で示した構成を適宜設計変更して実施すること、および実施形態に係る接合構造を実施した建築物や鉄塔など各種の構築物は、本発明の範囲に含まれる。
【００５３】
【発明の効果】
本発明によると、ガセットプレートと斜材の接合端部を結合する部材を、Ｌ型形鋼またはリブ付きスプライスプレートからなる連結部材で構成し、かつ、連結部材２２とガセットプレートおよび斜材の間は全ボルト接合としたので、極めて簡潔な連結構造にてガセットプレートを補強できて、従来の補剛リブプレートがなくとも、ガセットプレートは面外座屈、面外変形しにくくなる。したがって、ガセットプレートに補剛リブプレートを溶接する必要がなく、低コスト化が実現され、溶接不良による品質低下などの問題も回避できる。また、補剛リブプレートが付いている場合でも、リブプレートが短いと、ガセットプレートは座屈するが、本発明では、短いリブプレートを組合わせて構成した場合も、面外座屈も防止できる。
【００５４】
また、耐震補強では、ガセットプレートにリブプレートがない場合、ガセットプレートの面外座屈を防ぐために、既存のガセットプレートに補剛リブプレートを現場溶接等で取付ける必要があったが、本発明では、ガセットプレートに面外座屈を防止するためのリブプレートを取付ける必要がなくなり、この点でも低コスト化が実現される。さらに、連結部材をガセットプレートが十分な座屈耐力を有する長さまで延長して設けることにより、スプライスプレートの面外座屈荷重を一層大きくできる。
【図面の簡単な説明】
【図１】（ａ）、（ｂ）、（ｃ）は、実施形態１、２、３に係るガセットプレートと構造物の接合構造の側面図である。
【図２】（ａ）、（ｂ）、（ｃ）は、実施形態１、２、３に係るガセットプレートの斜視図である。
【図３】本発明の実施形態１に係る接合構造を用いたトラス架構の側面図である。
【図４】図３におけるＡ部の分解斜視図である。
【図５】（ａ）は、図２におけるＡ部の拡大図、（ｂ）、（ｃ）は、図（ａ）のＢ−Ｂ、Ｃ−Ｃ断面図である。
【図６】（ａ）、（ｂ）は、実施形態３に係る既存ガセットプレートの本発明による耐震補強構造の側面図と、Ｈ−Ｈ断面図である。
【図７】（ａ）、（ｃ）は、それぞれ従来例１、２に係るガセットプレートと構造物の接合構造の側面図、（ｂ）、（ｄ）は、同図（ａ）、（ｃ）におけるＤ−Ｄ断面図とＥ−Ｅ断面図である。
【図８】（ａ）、（ｃ）は、それぞれ従来例３、４に係るガセットプレートを用いた構造物の接合構造の側面図、（ｂ）、（ｄ）は、それぞれ同図（ａ）、（ｃ）におけるＦ−Ｆ断面図とＧ−Ｇ断面図である。
【図９】本発明の接合構造を屋根トラス部材とガセットプレートの接合に用いた例の平面図である。
【符号の説明】
１  ガセットプレート
２  スプライスプレート
３  斜材
４  接合端部
５  鉛直接合片
６  水平接合片
７  上部水平片
８  垂直立上り辺
１０  傾斜接合端縁
１１  補剛リブプレート
１２  溶接
１３  ボルト
１４  補剛リブ
１５  補剛リブ
１７  上部傾斜辺
１８  垂直立上り辺
２１  ガセットプレート
２２  連結部材
２４  傾斜線
２９  鉛直力伝達機構
３０  傾斜接合端面
３１  柱
３１ａ  柱の一側面
３２  梁
３３  水平力伝達機構
３４  床構造
３５  水平力伝達機構
３６  心材
３７  トラス部材
４０  梁ウエブ
４２  ボルト挿通孔
４３  上、下フランジ
４４  シアコネクタ
【図１】
2004324270.tif 000003
【図２】
2004324270.tif 000004
【図３】
2004324270.tif 000005
【図４】
2004324270.tif 000006
【図５】
2004324270.tif 000007
【図６】
2004324270.tif 000008
【図７】
2004324270.tif 000009
【図８】
2004324270.tif 000010
【図９】
2004324270.tif 000011